(57)【特許請求の範囲】
【請求項１】
ユーザーについて測定された測定生体情報を取得する第１の情報取得部と、
前記ユーザーの個人情報として設定された個人生体設定情報を取得する第２の情報取得部と、
前記測定生体情報及び前記個人生体設定情報に基づいて、前記ユーザーの活動状態情報の演算処理を行う処理部と、
を含み、
前記処理部は、
前記個人生体設定情報の変更要求があった場合に、前記変更要求における前記個人生体設定情報の属性の値の変化量、前記個人生体設定情報の前回の反映処理からの経過時間、及び前記測定生体情報の測定機器の使用時間の少なくとも１つと、前記個人生体設定情報の前記属性とに基づいて、前記活動状態情報の前記演算処理への前記個人生体設定情報の変更の反映タイミングの決定処理、又は前記変更を反映するか否かの決定処理を行うことを特徴とする活動状態情報演算システム。
【請求項２】
請求項１において、
前記処理部は、
前記属性が第１の属性である場合には、前記変更要求に対応する第１のタイミングで前記変更の反映処理を行い、
前記属性が第２の属性である場合には、前記反映処理を行わない、又は前記第１のタイミングより後の第２のタイミングで前記反映処理を行うことを特徴とする活動状態情報演算システム。
【請求項３】
請求項１又は２において、
前記属性は、
前記ユーザーの体重であり、
前記処理部は、
前回の前記反映処理からの前記経過時間が第１の経過時間以上である場合には、前記変更要求に対応する第１のタイミングで前記変更の前記反映処理を行うことを特徴とする活動状態情報演算システム。
【請求項４】
請求項１乃至３のいずれかにおいて、
前記属性は、
前記ユーザーの体重であり、
前記処理部は、
前回の前記反映処理からの前記経過時間が、第１の経過時間より短い第２の経過時間未満であり、前記属性の値の前記変化量が所与の変化量以上である場合には、前記変更の前記反映処理を行わないと決定することを特徴とする活動状態情報演算システム。
【請求項５】
請求項１乃至４のいずれかにおいて、
前記属性は、
前記ユーザーの体重であり、
前記処理部は、
前記経過時間が第２の経過時間以上かつ第１の経過時間未満であり、前記変化量が所与の変化量以上である場合には、前記変更要求に対応する第１のタイミングより後の第２のタイミングで前記変更の前記反映処理を行うことを特徴とする活動状態情報演算システム。
【請求項６】
請求項１乃至５のいずれかにおいて、
前記属性は、
前記ユーザーの体重であり、
前記処理部は、
前回の前記反映処理からの前記経過時間が第２の経過時間以上かつ第１の経過時間未満であり、前記属性の値の前記変化量が所与の変化量未満である場合には、前記変更要求に対応する第１のタイミングで前記変更の前記反映処理を行うことを特徴とする活動状態情報演算システム。
【請求項７】
請求項１乃至６のいずれかにおいて、
前記属性は、
前記ユーザーの体重であり、
前記処理部は、
前回の前記反映処理からの前記経過時間が、第１の経過時間より短い第２の経過時間未満であり、前記属性の値の前記変化量が所与の変化量未満である場合には、前記変更要求に対応する第１のタイミングより後の第２のタイミングで前記変更の前記反映処理を行うことを特徴とする活動状態情報演算システム。
【請求項８】
請求項１乃至７のいずれかにおいて、
前記属性は、
前記ユーザーの身長であり、
前記処理部は、
前記ユーザーの年齢又は生年月日に基づいて、前記反映タイミングの前記決定処理、又は前記変更を反映するか否かの前記決定処理を行うことを特徴とする活動状態情報演算システム。
【請求項９】
請求項１乃至８のいずれかにおいて、
前記属性は、
前記ユーザーの身長であり、
前記処理部は、
前記ユーザーの年齢が所与の閾値未満で、前記使用時間が所与の使用時間未満であり、前記経過時間も所与の経過時間未満である場合において、前記変更要求に対応する第１のタイミングで前記変更の前記反映処理を行うことを特徴とする活動状態情報演算システム。
【請求項１０】
請求項１乃至９のいずれかにおいて、
前記属性は、
前記ユーザーの身長であり、
前記処理部は、
前記ユーザーの年齢が所与の閾値未満で、前記使用時間が所与の使用時間以上であり、前記経過時間が所与の経過時間未満である場合において、前記変更要求に対応する第１のタイミングより後の第２のタイミングで、前記変更の前記反映処理を行うことを特徴とする活動状態情報演算システム。
【請求項１１】
請求項１乃至１０のいずれかにおいて、
前記属性は、
前記ユーザーの身長であり、
前記処理部は、
前記ユーザーの年齢が所与の閾値未満で、前記使用時間が所与の使用時間以上であり、前記経過時間も所与の経過時間以上である場合において、前記変更要求に対応する第１のタイミングで前記変更の前記反映処理を行うことを特徴とする活動状態情報演算システム。
【請求項１２】
請求項１乃至１１のいずれかにおいて、
前記属性は、
前記ユーザーの身長であり、
前記処理部は、
前記ユーザーの年齢が所与の閾値以上で、前記使用時間が所与の使用時間未満であり、前記経過時間も所与の経過時間未満である場合において、前記変更要求に対応する第１のタイミングより後の第２のタイミングで前記変更の前記反映処理を行うことを特徴とする活動状態情報演算システム。
【請求項１３】
請求項１乃至１２のいずれかにおいて、
前記属性は、
前記ユーザーの身長であり、
前記処理部は、
前記ユーザーの年齢が所与の閾値以上で、前記使用時間が所与の使用時間以上であり、前記経過時間が所与の経過時間未満である場合において、前記変更の前記反映処理を行わないと決定することを特徴とする活動状態情報演算システム。
【請求項１４】
請求項１乃至１３のいずれかにおいて、
前記属性は、
前記ユーザーの身長であり、
前記処理部は、
前記ユーザーの年齢が所与の閾値以上で、前記使用時間が所与の使用時間以上であり、前記経過時間も所与の経過時間以上である場合において、前記変更要求に対応する第１のタイミングより後の第２のタイミングで前記変更の前記反映処理を行うことを特徴とする活動状態情報演算システム。
【請求項１５】
請求項１乃至１４のいずれかにおいて、
前記属性は、
前記ユーザーの生年月日又は性別であり、
前記処理部は、
前記使用時間が所与の使用時間以上であり、前記経過時間も所与の経過時間以上である場合において、前記変更要求に対応する第１のタイミングより後の第２のタイミングで前記変更の前記反映処理を行うことを特徴とする活動状態情報演算システム。
【請求項１６】
請求項１乃至１５のいずれかにおいて、
前記属性は、
前記ユーザーの生年月日又は性別であり、
前記処理部は、
前記使用時間が所与の使用時間以上であり、前記経過時間が所与の経過時間未満である場合において、前記変更の前記反映処理を行わないと決定することを特徴とする活動状態情報演算システム。
【請求項１７】
請求項１乃至１６のいずれかにおいて、
前記属性は、
前記ユーザーの生年月日又は性別であり、
前記処理部は、
前記使用時間が所与の使用時間未満であり、前記経過時間も所与の経過時間未満である場合において、前記変更要求に対応する第１のタイミングより後の第２のタイミングで前記変更の前記反映処理を行うことを特徴とする活動状態情報演算システム。
【発明の詳細な説明】
【技術分野】
【０００１】
本発明は、活動状態情報演算システム等に関係する。
【背景技術】
【０００２】
脈拍計や活動量計は、装着者の身長、体重、年齢、性別等の個人生体設定情報に基づいて、消費カロリーや移動距離などの活動状態情報の計測処理を実行する。例えば消費カロリーは、体重に基づいて算出するし、移動距離は、身長から歩幅の概算値を算出し、歩幅の概算値に歩数を掛け算して算出する。
【０００３】
そして、近年では、脈拍計や活動量計と、スマートデバイスとが連携する活動状態情報演算システムが発明されている。このような活動状態情報演算システムでは、ユーザーがスマートデバイスで活動状態情報を閲覧したり、脈拍計や活動量計が、スマートデバイスから個人生体設定情報を受け取って、設定変更を反映したりすることが可能である。このような活動状態情報演算システムに関する発明としては、特許文献１に記載される従来技術がある。
【先行技術文献】
【特許文献】
【０００４】
【特許文献１】特開２００２−３０３５４５号公報
【発明の概要】
【発明が解決しようとする課題】
【０００５】
脈拍計や活動量計は常時ユーザーに装着され、測定生体情報を計測し続けることが前提の機器である。そのため、計測中であっても個人生体設定情報を機器に反映したいケースが出てくる。
【０００６】
ところが、スマートデバイスから受け取った個人生体設定情報をそのまま機器に反映すると、不都合の生じるケースがある。例えば、性別や生年月日、ユーザーＩＤは、通常変わることはない。性別や生年月日、ユーザーＩＤが変更された場合には、誤った入力があった可能性が高い。また、身長や体重も、数時間のうちに、大きく値が変わるとも考えにくい。消費カロリーや移動距離の計算は、個人生体設定情報と密接に関係があるため、このように個人生体設定情報を間違って設定してしまったりすると、活動状態情報の計測結果に大きな誤りが生じてしまう。
【０００７】
また、スマートデバイスが、入力・変更された個人生体設定情報に対してチェック処理を実施して、ユーザーへ確認を促す画面表示をすることも考えられるが、そのような表示をユーザーが見ないケース又は見逃すケースも考えられるため、必ずしも有効であるとは限らない。
【０００８】
本発明の幾つかの態様によれば、個人生体設定情報の誤った変更指示が行われた場合でも、活動状態情報を正しく算出することができる活動状態情報演算システム等を提供することができる。
【課題を解決するための手段】
【０００９】
本発明の一態様は、ユーザーについて測定された測定生体情報を取得する第１の情報取得部と、前記ユーザーの個人情報として設定された個人生体設定情報を取得する第２の情報取得部と、前記測定生体情報及び前記個人生体設定情報に基づいて、前記ユーザーの活動状態情報の演算処理を行う処理部と、を含み、前記処理部は、前記個人生体設定情報の変更要求があった場合に、前記個人生体設定情報の属性に応じて、前記活動状態情報の前記演算処理への前記個人生体設定情報の変更の反映タイミングの決定処理、又は前記変更を反映するか否かの決定処理を行う活動状態情報演算システムに関係する。
【００１０】
本発明の一態様では、個人生体設定情報の変更要求があった場合に、個人生体設定情報の属性に応じて、活動状態情報の演算処理への個人生体設定情報の変更の反映タイミングの決定処理、又は変更を反映するか否かの決定処理を行う。
【００１１】
よって、個人生体設定情報の誤った変更指示が行われた場合でも、活動状態情報を正しく算出することができる。
【００１２】
また、本発明の一態様では、前記処理部は、前記属性が第１の属性である場合には、前記変更要求に対応する第１のタイミングで前記変更の反映処理を行い、前記属性が第２の属性である場合には、前記反映処理を行わない、又は前記第１のタイミングより後の第２のタイミングで前記反映処理を行うものであってもよい。
【００１３】
これにより、属性に応じて異なるタイミングで、個人生体設定情報の変更を反映したり、属性によっては、個人生体設定情報の変更を反映しなかったりすること等が可能になる。
【００１４】
また、本発明の一態様では、前記処理部は、前記変更要求における前記属性の値の変化量、前記個人生体設定情報の前回の反映処理からの経過時間、及び前記測定生体情報の測定機器の使用時間の少なくとも１つと、前記属性とに基づいて、前記反映タイミングの前記決定処理、又は前記変更を反映するか否かの前記決定処理を行ってもよい。
【００１５】
これにより、同じ属性の個人生体設定情報の変更であっても、設定変更を反映するタイミングや、反映処理を行うか否かを区別すること等が可能になる。
【００１６】
また、本発明の一態様では、前記属性は、前記ユーザーの体重であり、前記処理部は、前回の前記反映処理からの前記経過時間が第１の経過時間以上である場合には、前記変更要求に対応する第１のタイミングで前記変更の前記反映処理を行ってもよい。
【００１７】
これにより、前回の設定変更の反映タイミングから所与の時間以上経過している場合には、体重の変化量に関わらず、計測中であっても即時に体重の設定変更を活動状態情報の演算処理に反映させること等が可能になる。
【００１８】
また、本発明の一態様では、前記属性は、前記ユーザーの体重であり、前記処理部は、前回の前記反映処理からの前記経過時間が、第１の経過時間より短い第２の経過時間未満であり、前記変化量が所与の変化量以上である場合には、前記変更の前記反映処理を行わないと決定してもよい。
【００１９】
これにより、前回の設定変更の反映タイミングから短期間で、体重を大きく変更する設定変更を、活動状態情報の演算処理に反映させないこと等が可能になる。
【００２０】
また、本発明の一態様では、前記属性は、前記ユーザーの体重であり、前記処理部は、前記経過時間が第２の経過時間以上かつ第１の経過時間未満であり、前記変化量が所与の変化量以上である場合には、前記変更要求に対応する第１のタイミングより後の第２のタイミングで前記変更の前記反映処理を行ってもよい。
【００２１】
これにより、前回の設定変更の反映タイミングから所与の期間内に、体重を大きく変更する設定変更を保留すること等が可能になる。
【００２２】
また、本発明の一態様では、前記属性は、前記ユーザーの体重であり、前記処理部は、前回の前記反映処理からの前記経過時間が第２の経過時間以上かつ第１の経過時間未満であり、前記属性の値の前記変化量が所与の変化量未満である場合には、前記変更要求に対応する第１のタイミングで前記変更の前記反映処理を行ってもよい。
【００２３】
これにより、前回の設定変更の反映タイミングから所与の期間内に、体重を僅かに変更する設定変更を、計測中であっても即時に活動状態情報の演算処理に反映させること等が可能になる。
【００２４】
また、本発明の一態様では、前記属性は、前記ユーザーの体重であり、前記処理部は、前回の前記反映処理からの前記経過時間が、第１の経過時間より短い第２の経過時間未満であり、前記属性の値の前記変化量が所与の変化量未満である場合には、前記変更要求に対応する第１のタイミングより後の第２のタイミングで前記変更の前記反映処理を行ってもよい。
【００２５】
これにより、前回の設定変更の反映タイミングから短期間で、体重を僅かに変更する設定変更を保留すること等が可能になる。
【００２６】
また、本発明の一態様では、前記属性は、前記ユーザーの身長であり、前記処理部は、前記ユーザーの年齢又は生年月日に基づいて、前記反映タイミングの前記決定処理、又は前記変更を反映するか否かの前記決定処理を行ってもよい。
【００２７】
これにより、ユーザーの年齢に応じて異なる基準で、設定変更を反映するか否かを決定すること、または設定変更を反映する場合には、反映タイミングを決定すること等が可能になる。
【００２８】
また、本発明の一態様では、前記属性は、前記ユーザーの身長であり、前記処理部は、前記ユーザーの年齢が所与の閾値未満で、前記使用時間が所与の使用時間未満であり、前記経過時間も所与の経過時間未満である場合において、前記変更要求に対応する第１のタイミングで前記変更の前記反映処理を行ってもよい。
【００２９】
これにより、例えばユーザーが１８歳未満であり、機器の使用開始初期である場合には、前回身長の設定変更を反映したタイミングから所与の期間を経過していない場合には、身長の設定変更を即時に活動状態情報の演算処理に反映させること等が可能になる。
【００３０】
また、本発明の一態様では、前記属性は、前記ユーザーの身長であり、前記処理部は、前記ユーザーの年齢が所与の閾値未満で、前記使用時間が所与の使用時間以上であり、前記経過時間が所与の経過時間未満である場合において、前記変更要求に対応する第１のタイミングより後の第２のタイミングで、前記変更の前記反映処理を行ってもよい。
【００３１】
これにより、例えばユーザーが１８歳未満であり、機器の使用開始初期ではない場合に、前回身長の設定変更を反映したタイミングから所与の期間以上、経過していない場合には、身長を変更する設定変更を保留すること等が可能になる。
【００３２】
また、本発明の一態様では、前記属性は、前記ユーザーの身長であり、前記処理部は、前記ユーザーの年齢が所与の閾値未満で、前記使用時間が所与の使用時間以上であり、前記経過時間も所与の経過時間以上である場合において、前記変更要求に対応する第１のタイミングで前記変更の前記反映処理を行ってもよい。
【００３３】
これにより、例えばユーザーが１８歳未満であり、機器の使用開始初期ではない場合に、前回身長の設定変更を反映したタイミングから所与の期間を経過している場合には、身長の設定変更を即時に活動状態情報の演算処理に反映させること等が可能になる。
【００３４】
また、本発明の一態様では、前記属性は、前記ユーザーの身長であり、前記処理部は、前記ユーザーの年齢が所与の閾値以上で、前記使用時間が所与の使用時間未満であり、前記経過時間も所与の経過時間未満である場合において、前記変更要求に対応する第１のタイミングより後の第２のタイミングで前記変更の前記反映処理を行ってもよい。
【００３５】
これにより、例えばユーザーが１８歳以上であり、機器の使用開始初期である場合に、前回設定変更を反映したタイミングから所与の期間経過していない場合には、身長を変更する設定変更を保留すること等が可能になる。
【００３６】
また、本発明の一態様では、前記属性は、前記ユーザーの身長であり、前記処理部は、前記ユーザーの年齢が所与の閾値以上で、前記使用時間が所与の使用時間以上であり、前記経過時間が所与の経過時間未満である場合において、前記変更の前記反映処理を行わないと決定してもよい。
【００３７】
これにより、例えばユーザーが１８歳以上であり、機器の使用開始初期ではない場合に、前回身長の設定変更を反映したタイミングから短い期間しか経過していない場合には、身長を変更する設定変更を却下すること等が可能になる。
【００３８】
また、本発明の一態様では、前記属性は、前記ユーザーの身長であり、前記処理部は、前記ユーザーの年齢が所与の閾値以上で、前記使用時間が所与の使用時間以上であり、前記経過時間も所与の経過時間以上である場合において、前記変更要求に対応する第１のタイミングより後の第２のタイミングで前記変更の前記反映処理を行ってもよい。
【００３９】
これにより、例えばユーザーが１８歳以上であり、機器の使用開始初期ではない場合に、前回身長の設定変更を反映したタイミングから所与の期間以上、経過している場合には、身長を変更する設定変更を保留すること等が可能になる。
【００４０】
また、本発明の一態様では、前記属性は、前記ユーザーの生年月日又は性別であり、前記処理部は、前記使用時間が所与の使用時間以上であり、前記経過時間も所与の経過時間以上である場合において、前記変更要求に対応する第１のタイミングより後の第２のタイミングで前記変更の前記反映処理を行ってもよい。
【００４１】
これにより、機器の使用開始初期ではない場合に、前回、生年月日又は性別の設定変更を反映したタイミングから、所与の時間経過している場合に、生年月日又は性別を変更する設定変更を保留すること等が可能になる。
【００４２】
また、本発明の一態様では、前記属性は、前記ユーザーの生年月日又は性別であり、前記処理部は、前記使用時間が所与の使用時間以上であり、前記経過時間が所与の経過時間未満である場合において、前記変更の前記反映処理を行わないと決定してもよい。
【００４３】
これにより、機器の使用開始初期ではない場合に、前回、生年月日又は性別の設定変更を反映したタイミングから、所与の時間経過していない場合には、生年月日又は性別を変更する設定変更を却下すること等が可能になる。
【００４４】
また、本発明の一態様では、前記属性は、前記ユーザーの生年月日又は性別であり、前記処理部は、前記使用時間が所与の使用時間未満であり、前記経過時間も所与の経過時間未満である場合において、前記変更要求に対応する第１のタイミングより後の第２のタイミングで前記変更の前記反映処理を行ってもよい。
【００４５】
これにより、機器の使用開始初期であって、前回、生年月日又は性別の設定変更を反映したタイミングから、所与の時間経過していない場合に、生年月日又は性別を変更する設定変更を保留すること等が可能になる。
【図面の簡単な説明】
【００４６】
【図１】本実施形態のシステム構成例。
【図２】本実施形態の活動状態情報演算システムを実現する機器の説明図。
【図３】本実施形態の全体の処理の流れを説明するフローチャート。
【図４】分類処理の流れを説明するフローチャート。
【図５】体重の設定変更に関する決定処理及び反映処理の流れを説明するフローチャート。
【図６】体重の設定変更の反映に関する説明図。
【図７】図７（Ａ）〜図７（Ｃ）は、画面表示の説明図。
【図８】身長の設定変更に関する決定処理及び反映処理の流れを説明するフローチャート。
【図９】身長の設定変更に関する決定処理及び反映処理の流れを説明する他のフローチャート。
【図１０】図１０（Ａ）及び図１０（Ｂ）は、身長の設定変更の反映に関する説明図。
【図１１】生年月日及び性別の設定変更に関する決定処理及び反映処理の流れを説明するフローチャート。
【図１２】生年月日及び性別の設定変更の反映に関する説明図。
【図１３】図１３（Ａ）、図１３（Ｂ）は、本実施形態の測定装置の外観図。
【図１４】本実施形態の測定装置の外観図。
【図１５】測定装置の装着及び情報処理装置との通信についての説明図。
【発明を実施するための形態】
【００４７】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００４８】
１．概要
本実施形態の活動状態情報演算システムの測定装置（脈拍計や活動量計等）は常時ユーザーに装着され、ユーザーの測定生体情報を測定し続ける。そして活動状態情報演算システムが、ユーザーの活動状態情報を算出する。活動状態情報を算出するためには、ユーザーの個人生体設定情報を用いる必要がある。
【００４９】
ここで、測定生体情報とは、測定装置が有するセンサー等により直接、測定可能なユーザーの情報である。測定生体情報は、例えば脈波センサーにより測定される脈波情報や、加速度センサーにより測定される加速度情報等である。測定生体情報は、ユーザーの活動に合わせて、都度変化し続ける。
【００５０】
また、個人生体設定情報とは、ユーザー個人に関する情報である。個人生体設定情報は、主にユーザーの身体に関する情報であって、例えば身長、体重、年齢、性別、最大心拍数、安静心拍数、最大酸素摂取量、安静時酸素摂取量、体脂肪率、その他体力の強さを示す設定値、体調を示す設定値等である。また、ユーザーＩＤ等の情報も個人生体設定情報に含まれるものとする。個人生体設定情報は、秒単位又は分単位の短期間ではほとんど変化がない情報であるが、週単位又は月単位などの長期間では変化がみられることもある。
【００５１】
そして、活動状態情報とは、測定生体情報と個人生体設定情報に基づいて特定されるユーザーの活動に関わる情報である。活動状態情報は、例えば、ユーザーの消費カロリーや移動距離、歩数、高度変化、速度、運動強度、睡眠判定に用いる脈波数閾値、睡眠時間、睡眠の質、脈拍ゾーン設定、体力レベル、推定酸素負債量（ＥＰＯＣ）、これらの値を元に算出する活動量の独自の指標値等である。
【００５２】
例えば、消費カロリーは、下式（１）により求めることができる。下式（１）において、Ｘは消費カロリー（ｋｃａｌ）、ＶＯ２は酸素摂取量（ｍｌ／ｋｇ・ｍｉｎ）、Ｔは体重（ｋｇ）、Ｈは時間（ｈ）を表す。
【００５３】
【数１】
0006467819.tif 000002
さて、前述したように、個人生体設定情報は、長期間、計測を続けているうちに変わることがある。そして、その時点での正確な活動状態情報を算出するためには、最新の個人生体設定情報に基づいて演算処理を行った方がよい。そのためには、変更要求があった個人生体設定情報を、活動状態情報の演算処理に反映する必要がある。
【００５４】
ところが、スマートデバイスから受け取った個人生体設定情報を、活動状態情報の演算処理にそのまま反映すると、不都合が生じるケースがある。
【００５５】
例えば、性別や生年月日、ユーザーＩＤは、通常変わることはない。性別、生年月日及びユーザーＩＤの全てが同時に変更された場合には、別人が装着し直した可能性があるが、例えば性別、生年月日及びユーザーＩＤのいずれか一つだけが変更された場合には、これらの情報が誤って入力された可能性が高い。
【００５６】
また、身長や体重も、数時間のうちに、大きく値が変わるとも考えにくい。しかし、ユーザーが未成年であれば、短期間のうちに身長や体重が大きく変わる場合も有り得る。
【００５７】
消費カロリーや移動距離の計算は、個人生体設定情報と密接に関係があるため、このように個人生体設定情報を間違って設定してしまったりすると、活動状態情報の計測結果に大きな誤差が生じてしまう。しかし、全ての変更要求が誤りである訳ではない。
【００５８】
したがって、常に個人生体設定情報の変更を即時反映すればよいのではなく、個人生体設定情報の変更要求が正しいか否かを判定し、変更要求が正しい場合にのみ、個人生体設定情報の変更を、活動状態情報の演算処理に反映しなければならない。
【００５９】
ここで、スマートデバイスが、入力・変更された個人生体設定情報に対してチェック処理を実施して、ユーザーへ確認を促す画面表示をすることも考えられるが、そのような表示をユーザーが見ないケース又は見逃すケースも考えられるため、必ずしも有効であるとは限らない。
【００６０】
よって、本実施形態の活動状態情報演算システムは、個人生体設定情報の変更要求が正しいか否かを自動的に判定する。これにより、個人生体設定情報の誤った変更指示が行われた場合でも、活動状態情報を正しく算出することができるようになる。
【００６１】
２．システム構成例
次に、本実施形態の活動状態情報演算システム１００の構成例を図１に示す。
【００６２】
本実施形態の活動状態情報演算システム１００は、第１の情報取得部１１０と、第２の情報取得部１２０と、処理部１３０と、を含む。
【００６３】
第１の情報取得部１１０は、ユーザーについて測定された測定生体情報を取得する。第２の情報取得部１２０は、ユーザーの個人情報として設定された個人生体設定情報を取得する。そして、処理部１３０は、測定生体情報及び個人生体設定情報に基づいて、ユーザーの活動状態情報の演算処理を行う。処理部１３０の機能は、各種プロセッサー（ＣＰＵ等）、ＡＳＩＣ（ゲートアレイ等）などのハードウェアや、プログラムなどにより実現できる。
【００６４】
さらに、処理部１３０は、個人生体設定情報の変更要求があった場合に、個人生体設定情報の属性に応じて、活動状態情報の演算処理への個人生体設定情報の変更の反映タイミングの決定処理、又は変更を反映するか否かの決定処理を行う。
【００６５】
ここで、個人生体設定情報の属性とは、言い換えれば個人生体設定情報の種類のことである。個人生体設定情報の属性は、例えば身長、体重、年齢、性別、最大心拍数、安静心拍数、最大酸素摂取量、安静時酸素摂取量、体脂肪率、その他体力の強さを示す設定値、体調を示す設定値等の種類のことを指す。
【００６６】
そして例えば、処理部１３０は、属性が第１の属性である場合には、変更要求に対応する第１のタイミングで変更の反映処理を行い、属性が第２の属性である場合には、反映処理を行わない、又は第１のタイミングより後の第２のタイミングで反映処理を行う。
【００６７】
ここで、反映処理とは、処理部１３０が行う活動状態情報の演算処理へ、変更要求のあった個人生体設定情報を反映する処理のことをいう。よって、反映処理が行われた後は、処理部１３０は、変更反映後の個人生体設定情報に基づいて、活動状態情報の演算処理を行うことになる。
【００６８】
さらに、前述した処理の流れをより具体的に説明すると、処理部１３０は、変更要求のあった個人生体設定情報の属性が、例えば体重（第１の属性）である場合には、計測中であっても、即時（第１のタイミング）、個人生体設定情報を反映する。そして、処理部１３０は、変更要求のあった個人生体設定情報の属性が、例えば性別やユーザーＩＤ（第２の属性）である場合には、個人生体設定情報を反映しない。または、処理部１３０は、変更要求のあった個人生体設定情報の属性が、例えば身長（第２の属性）である場合には、計測中には個人生体設定情報の変更を反映せずに、計測が終了した時点でユーザーに確認処理を行い、正常な設定変更であると確認がとれた時点（第２のタイミング）で、個人生体設定情報を反映する。なお、上記の説明で用いた第１の属性と第２の属性という言葉は、単に２つの個人生体設定情報の属性が互いに異なることを示す言葉であって、常に第１の属性が体重であり、第２の属性が性別、ユーザーＩＤ及び身長であるという訳ではない。
【００６９】
これにより、属性に応じて異なるタイミングで、個人生体設定情報の変更を反映したり、属性によっては、個人生体設定情報の変更を反映しなかったりすること等が可能になる。つまり、明らかに個人生体設定情報の変更要求が誤操作によるものであると判定できる場合には、個人生体設定情報の変更を反映せず、逆に即時、変更を反映した方がよいと判定できる場合には、活動状態情報の演算処理に設定変更を即時反映する。
【００７０】
よって、個人生体設定情報の誤った変更指示が行われた場合でも、活動状態情報を正しく算出することができる。
【００７１】
また、活動状態情報演算システム１００は、前述した構成に限定されず、これらの一部の構成要素を省略したり、他の構成要素を追加したりするなどの種々の変形実施が可能である。例えば、活動状態情報演算システム１００は、図１に示すように、測定部１５０と、受付部３００とを含んでいても良い。
【００７２】
測定部１５０は、ユーザーの測定生体情報を測定する。測定部１５０は、例えばセンサー部であり、より具体的には脈波センサー、温度センサー及び体動センサーなどである。そして、センサー部は、一つのセンサーによって構成されるとは限らず、複数種類のセンサーにより構成されていてもよい。
【００７３】
ここで、脈波センサーは、脈波センサー信号を検出するためのセンサーであり、例えば光電センサー等が考えられる。ただし、脈波センサーとして光電センサーを用いるとは限らず、超音波を用いたセンサー等のその他のセンサーを用いてもよい。
【００７４】
また、体動センサーとしては、モーションセンサー（加速度センサー）や、圧力センサー（接触圧センサー）、位置センサー（ＧＰＳ受信機など）等を用いる。さらに、体動センサーとして、複数種類のセンサーを設けても良い。
【００７５】
受付部３００は、個人生体設定情報を変更するユーザーによる操作情報を受け付ける。受付部３００は、例えば測定機器本体やスマートデバイス（携帯端末装置、情報処理装置）等に設けられた操作入力部であってもよい。操作入力部は、例えばボタンやスイッチ、タッチパネル等である。また、受付部３００は、外部装置からネットワークを介して、個人生体設定情報を受け付ける通信部であってもよい。
【００７６】
また、活動状態情報演算システム１００は、一つの測定装置によって実現される場合もあるが、図２に示すように、ネットワークを介して通信接続される測定装置４００と、スマートデバイス（端末）２００と、サーバー６００とにより実現されてもよい。また、その他にも、測定装置４００と、スマートデバイス２００の二つの装置により、実現されるなど、種々の変形実施が可能である。
【００７７】
そして、図２の場合には、測定装置４００が測定部１５０を有し、スマートデバイス２００が、第１の情報取得部１１０と第２の情報取得部１２０と受付部３００とを有し、サーバー６００が処理部１３０を有する。また、処理部１３０の機能は、スマートデバイス２００とサーバー６００の二つの装置により、実現してもよい。
【００７８】
３．処理の詳細
次に、本実施形態の処理の詳細について説明する。
【００７９】
これまでは、個人生体設定情報の属性に応じて、個人生体設定情報の変更を反映するか否かを決定する例について説明してきた。実際には、個人生体設定情報の属性以外の情報によっても、個人生体設定情報の変更を反映すべきか否か、また反映すべきである場合にはどのタイミングで反映すべきかの判断が分かれる。個人生体設定情報の属性以外の情報とは、例えば変更要求における属性の値の変化量や、個人生体設定情報の前回の反映処理からの経過時間、測定生体情報の測定機器の使用時間等である。
【００８０】
従って、処理部１３０は、変更要求における属性の値の変化量、個人生体設定情報の前回の反映処理からの経過時間、及び測定生体情報の測定機器の使用時間の少なくとも１つと、属性とに基づいて、反映タイミングの決定処理、又は変更を反映するか否かの決定処理を行う。
【００８１】
これにより、同じ属性の個人生体設定情報の変更であっても、設定変更を反映するタイミングや、反映処理を行うか否かを区別すること等が可能になる。
【００８２】
次に、図３〜図５及び図８、図９、図１１のフローチャートを用いて、本実施形態の処理の流れについて説明する。始めに、図３のフローチャートを用いて、全体の処理のおおまかな流れについて説明する。
【００８３】
まず、第２の情報取得部１２０が、個人生体設定情報の変更要求を取得する（Ｓ１００）。
【００８４】
そして、処理部１３０が機器使用累積時間（使用時間）を取得し（Ｓ１０１）、続けて、前回設定変更を反映したタイミングからの経過時間を取得する（Ｓ１０２）。さらに、処理部１３０が、個人生体設定情報の現在の設定値と、変更後の設定値を取得し（Ｓ１０３）、変更要求のあった個人生体設定情報の属性を取得する（Ｓ１０４）。
【００８５】
その後に、処理部１３０が、設定変更を反映するか否かの決定処理、及び設定変更の反映処理を行い（Ｓ１０５）、処理を終了する。ステップＳ１０５において行う決定処理及び反映処理の具体的な処理内容は、変更する個人生体設定情報の属性によって異なるものである。
【００８６】
具体的にステップＳ１０５では、決定処理及び反映処理を行うよりも先に、図４のフローチャートに示すような分類処理を行う。まず、処理部１３０が、変更要求のあった個人生体設定情報の属性が体重か否かを判定する（Ｓ２０１）。
【００８７】
処理部１３０が、変更要求のあった個人生体設定情報の属性が体重であると判定した場合には、体重用の決定処理又は反映処理を行う（Ｓ２０２）。なお、ステップＳ２０２の詳細については、図５及び図６を用いて後述する。
【００８８】
一方、処理部１３０が、変更要求のあった個人生体設定情報の属性が体重ではないと判定した場合には、その属性が身長であるか否かを判定する（Ｓ２０３）。
【００８９】
処理部１３０が、その属性が身長であると判定した場合には、身長用の決定処理又は反映処理を行う（Ｓ２０４）。なお、ステップＳ２０４の詳細については、図８〜図１０（Ｂ）を用いて後述する。
【００９０】
一方、処理部１３０が、その属性が身長ではないと判定した場合には、その属性が生年月日又は性別であるか否かを判定する（Ｓ２０５）。
【００９１】
処理部１３０が、その属性が生年月日又は性別であると判定した場合には、生年月日又は性別用の決定処理又は反映処理を行う（Ｓ２０６）。なお、ステップＳ２０６の詳細については、図１１及び図１２を用いて後述する。
【００９２】
一方、処理部１３０が、その属性が生年月日又は性別ではないと判定した場合には、エラーであると判定して、処理を終了する。
【００９３】
次に、図５のフローチャートを用いて、ステップＳ２０２の処理の詳細について説明する。
【００９４】
まず、処理部１３０が、前回設定変更を反映したタイミングから２４時間経過したか否かを判定する（Ｓ３０１）。
【００９５】
処理部１３０が、前回設定変更を反映したタイミングから２４時間経過していないと判定した場合には、前回設定変更を反映したタイミングから６時間経過したか否かを判定する（Ｓ３０２）。
【００９６】
処理部１３０が、前回設定変更を反映したタイミングから６時間経過していないと判定した場合には、さらに、体重の変化量が２ｋｇ未満か否かを判定する（Ｓ３０３）。
【００９７】
処理部１３０が、体重の変化量が２ｋｇ以上であると判定した場合には、設定変更を却下し（Ｓ３０４）、設定変更無効の画面表示を行う（Ｓ３０５）。
【００９８】
すなわち、図６の表に示すように、属性が体重である場合には、処理部１３０は、前回の反映処理からの経過時間が、第１の経過時間（２４時間）より短い第２の経過時間（６時間）未満であり、変化量が所与の変化量（２ｋｇ）以上である場合には、変更の反映処理を行わないと決定する。つまり、設定の変更要求を却下する。なお、本例では、第１の経過時間が２４時間であり、第２の経過時間が６時間であり、所与の変化量が２ｋｇであるものとするが、本実施形態はそれに限定されない。
【００９９】
これにより、前回の設定変更の反映タイミングから短期間で、体重を大きく変更する設定変更を、活動状態情報の演算処理に反映させないこと等が可能になる。この際には、図７（Ａ）に示すような画像又はテキストを表示部に表示させる。
【０１００】
また、ステップＳ３０３において、処理部１３０が、体重の変化量が２ｋｇ未満であると判定した場合には、設定変更の反映処理を保留することを決定し（Ｓ３０７）、後程設定変更を行うようにタスクを登録して（Ｓ３０８）、設定変更保留を示す画面表示を行う（Ｓ３０９）。
【０１０１】
すなわち、図６の表に示すように、属性が体重である場合には、処理部１３０は、前回の反映処理からの経過時間が、第１の経過時間（２４時間）より短い第２の経過時間（６時間）未満であり、属性の値の変化量が所与の変化量（２ｋｇ）未満である場合には、変更要求に対応する第１のタイミングより後の第２のタイミングで変更の反映処理を行う。
【０１０２】
これにより、前回の設定変更の反映タイミングから短期間で、体重を僅かに変更する設定変更を保留し、例えばユーザーに確認をしてから活動状態情報の演算処理に反映させること等が可能になる。この際には、図７（Ｂ）に示すような画像又はテキストを表示部に表示させる。
【０１０３】
また、ステップＳ３０２において、処理部１３０が、前回設定変更を反映したタイミングから６時間経過していると判定した場合にも、体重の変化量が２ｋｇ未満か否かを判定する（Ｓ３０６）。
【０１０４】
そして、処理部１３０が、体重の変化量が２ｋｇ以上であると判定した場合には、設定変更を行うタイミングを保留（第２のタイミング）とし（Ｓ３０７）、設定変更タスクを登録して（Ｓ３０８）、設定変更保留の画面表示を行う（Ｓ３０９）。
【０１０５】
すなわち、図６の表に示すように、属性が体重である場合には、処理部１３０は、経過時間が第２の経過時間（６時間）以上かつ第１の経過時間（２４時間）未満であり、変化量が所与の変化量（２ｋｇ）以上である場合には、変更要求に対応する第１のタイミングより後の第２のタイミングで変更の反映処理を行う。
【０１０６】
これにより、前回の設定変更の反映タイミングから所与の期間内に、体重を大きく変更する設定変更を保留し、例えばユーザーに確認をしてから活動状態情報の演算処理に反映させること等が可能になる。この際には、図７（Ｂ）に示すような画像又はテキストを表示部に表示させる。
【０１０７】
一方、処理部１３０が、体重の変化量が２ｋｇ未満であると判定した場合には、設定変更のタイミングを即時に設定し（Ｓ３１０）、設定変更の反映処理を行い（Ｓ３１１）、設定変更完了の画面表示を行って（Ｓ３１２）、処理を終了する。
【０１０８】
すなわち、図６の表に示すように、属性が体重である場合には、処理部１３０は、前回の反映処理からの経過時間が第２の経過時間（６時間）以上かつ第１の経過時間（２４時間）未満であり、属性の値の変化量が所与の変化量（２ｋｇ）未満である場合には、変更要求に対応する第１のタイミングで変更の反映処理を行う。
【０１０９】
これにより、前回の設定変更の反映タイミングから所与の期間内に、体重を僅かに変更する設定変更を、計測中であっても即時に活動状態情報の演算処理に反映させること等が可能になる。この際には、図７（Ｃ）に示すような画像又はテキストを表示部に表示させる。
【０１１０】
また、前述したステップＳ３０１において、処理部１３０が、前回設定変更を反映したタイミングから２４時間経過したと判定した場合にも、設定変更のタイミングを即時に設定し（Ｓ３１０）、設定変更の反映処理を行い（Ｓ３１１）、設定変更完了の画面表示を行って（Ｓ３１２）、処理を終了する。
【０１１１】
すなわち、図６の表に示すように、属性が体重である場合には、処理部１３０は、前回の反映処理からの経過時間が第１の経過時間以上である場合には、変更要求に対応する第１のタイミングで変更の反映処理を行う。
【０１１２】
これにより、前回の設定変更の反映タイミングから所与の時間以上経過している場合には、体重の変化量に関わらず、計測中であっても即時に体重の設定変更を活動状態情報の演算処理に反映させること等が可能になる。この際には、図７（Ｃ）に示すような画像又はテキストを表示部に表示させる。以上が、体重の設定変更を反映するか否かの決定処理及び設定変更の反映処理の流れである。
【０１１３】
次に、図８及び図９のフローチャートを用いて、図４のステップＳ２０４の処理の詳細について説明する。
【０１１４】
まず、処理部１３０が、ユーザーの設定年齢が１８歳以上か否かを判定する（Ｓ４０１）。本実施形態では、設定変更を行う個人生体設定情報の属性がユーザーの身長である場合には、処理部１３０は、ユーザーの年齢又は生年月日に基づいて、反映タイミングの決定処理、又は変更を反映するか否かの決定処理を行う。
【０１１５】
これにより、ユーザーの年齢に応じて異なる基準（条件）で、設定変更を反映するか否かを決定すること、または設定変更を反映する場合には、反映タイミングを決定すること等が可能になる。
【０１１６】
ユーザーの設定年齢が１８歳以上であると判定した場合には、機器の使用時間（機器使用累積時間）が２週間未満か否かを判定する（Ｓ４０２）。
【０１１７】
機器の使用時間が２週間未満であると判定した場合には、さらに、身長の設定変更を反映した前回のタイミングからの経過時間が、３ヶ月未満か否かを判定する（Ｓ４０３）。
【０１１８】
そして、経過時間が３ヶ月未満であると判定した場合には、設定変更を行うタイミングを保留（第２のタイミング）とし（Ｓ４０４）、設定変更タスクを登録して（Ｓ４０５）、設定変更保留の画面表示を行って（Ｓ４０６）、処理を終了する。
【０１１９】
すなわち、図１０（Ａ）の表に示すように、属性がユーザーの身長である場合に、処理部１３０は、ユーザーの年齢が所与の閾値（１８歳）以上で、使用時間が所与の使用時間（２週間）未満であり、経過時間も所与の経過時間（３ヶ月）未満である場合において、変更要求に対応する第１のタイミング（即時）より後の第２のタイミングで変更の反映処理を行う。なお、本例では、年齢の所与の閾値が１８歳であり、参照する所与の使用時間が２週間であり、ユーザーが１８歳以上である場合に参照する所与の経過時間が３ヶ月であるものとするが、本実施形態はそれに限定されない。これらの値は、テーブル値として不図示の記憶部に保持しておいてもよい。
【０１２０】
これにより、例えばユーザーが１８歳以上であり、機器の使用開始初期である場合に、前回設定変更を反映したタイミングから所与の期間経過していない場合には、身長を変更する設定変更を保留し、例えばユーザーに確認をしてから活動状態情報の演算処理に反映させること等が可能になる。
【０１２１】
一方、ステップＳ４０３において、経過時間が３ヶ月以上であると判定した場合には、エラーと判断して処理を終了する。
【０１２２】
また、ステップＳ４０２において、機器の使用時間が２週間以上であると判定した場合にも、身長の設定変更を反映した前回のタイミングからの経過時間が、３ヶ月未満か否かを判定する（Ｓ４０７）。そして、経過時間が３ヶ月未満であると判定した場合には、設定変更を却下し（Ｓ４０８）、設定変更無効の画面表示を行って（Ｓ４０９）、処理を終了する。
【０１２３】
すなわち、図１０（Ａ）の表に示すように、属性がユーザーの身長である場合には、処理部１３０は、ユーザーの年齢が所与の閾値以上で、使用時間が所与の使用時間以上であり、経過時間が所与の経過時間未満である場合において、変更の反映処理を行わないと決定する。
【０１２４】
これにより、例えばユーザーが１８歳以上であり、機器の使用開始初期ではない場合に、前回身長の設定変更を反映したタイミングから短い期間しか経過していない場合には、身長を変更する設定変更を却下すること等が可能になる。
【０１２５】
一方、ステップＳ４０７において、経過時間が３ヶ月以上であると判定した場合には、設定変更を行うタイミングを保留とし（Ｓ４１０）、設定変更タスクを登録して（Ｓ４０５）、設定変更保留の画面表示を行って（Ｓ４０６）、処理を終了する。
【０１２６】
すなわち、図１０（Ａ）の表に示すように、属性がユーザーの身長である場合には、処理部１３０は、ユーザーの年齢が所与の閾値以上で、使用時間が所与の使用時間以上であり、経過時間も所与の経過時間以上である場合において、変更要求に対応する第１のタイミングより後の第２のタイミングで変更の反映処理を行う。
【０１２７】
これにより、例えばユーザーが１８歳以上であり、機器の使用開始初期ではない場合に、前回身長の設定変更を反映したタイミングから所与の期間以上、経過している場合には、身長を変更する設定変更を保留し、例えばユーザーに確認をしてから活動状態情報の演算処理に反映させること等が可能になる。
【０１２８】
さて、ステップＳ４０１において、ユーザーの設定年齢が１８歳未満であると判定した場合には、機器の使用時間が２週間未満か否かを判定する（Ｓ４１１）。
【０１２９】
機器の使用時間が２週間未満であると判定した場合には、さらに、身長の設定変更を反映した前回のタイミングからの経過時間が、２週間未満か否かを判定する（Ｓ４１２）。なお、ユーザーの設定年齢が１８未満である場合には、参照する経過時間を２週間とする。
【０１３０】
そして、経過時間が２週間未満であると判定した場合には、設定変更のタイミングを即時に設定し（Ｓ４１３）、設定変更の反映処理を行い（Ｓ４１４）、設定変更完了の画面表示を行って（Ｓ４１５）、処理を終了する。
【０１３１】
すなわち、図１０（Ｂ）の表に示すように、属性がユーザーの身長である場合には、処理部１３０は、ユーザーの年齢が所与の閾値未満で、使用時間が所与の使用時間未満であり、経過時間も所与の経過時間未満である場合において、変更要求に対応する第１のタイミングで変更の反映処理を行う。
【０１３２】
これにより、例えばユーザーが１８歳未満であり、機器の使用開始初期である場合には、前回身長の設定変更を反映したタイミングから所与の期間を経過しておらず、計測中であっても、身長の設定変更を即時に活動状態情報の演算処理に反映させること等が可能になる。
【０１３３】
一方、ステップＳ４１２において、経過時間が２週間以上であると判定した場合には、エラーと判断して処理を終了する。
【０１３４】
また、ステップＳ４１１において、機器の使用時間が２週間以上であると判定した場合にも、身長の設定変更を反映した前回のタイミングからの経過時間が、２週間未満か否かを判定する（Ｓ４１６）。そして、経過時間が２週間未満であると判定した場合には、設定変更を行うタイミングを保留（第２のタイミング）とし（Ｓ４１７）、設定変更タスクを登録して（Ｓ４０５）、設定変更保留の画面表示を行って（Ｓ４０６）、処理を終了する。
【０１３５】
すなわち、図１０（Ｂ）の表に示すように、属性がユーザーの身長である場合に、処理部１３０は、ユーザーの年齢が所与の閾値未満で、使用時間が所与の使用時間以上であり、経過時間が所与の経過時間未満である場合において、変更要求に対応する第１のタイミングより後の第２のタイミングで、変更の反映処理を行う。
【０１３６】
これにより、例えばユーザーが１８歳未満であり、機器の使用開始初期ではない場合に、前回身長の設定変更を反映したタイミングから所与の期間以上、経過していない場合には、身長を変更する設定変更を保留し、例えばユーザーに確認をしてから活動状態情報の演算処理に反映させること等が可能になる。
【０１３７】
一方、ステップＳ４１６において、経過時間が２週間以上であると判定した場合には、設定変更のタイミングを即時に設定し（Ｓ４１８）、設定変更の反映処理を行い（Ｓ４１４）、設定変更完了の画面表示を行って（Ｓ４１５）、処理を終了する。
【０１３８】
すなわち、図１０（Ｂ）の表に示すように、属性がユーザーの身長である場合には、処理部１３０は、ユーザーの年齢が所与の閾値未満で、使用時間が所与の使用時間以上であり、経過時間も所与の経過時間以上である場合において、変更要求に対応する第１のタイミングで変更の反映処理を行う。
【０１３９】
これにより、例えばユーザーが１８歳未満であり、機器の使用開始初期ではない場合に、前回身長の設定変更を反映したタイミングから所与の期間を経過している場合には、計測中であっても、身長の設定変更を即時に活動状態情報の演算処理に反映させること等が可能になる。以上が、身長の設定変更を反映するか否かの決定処理及び設定変更の反映処理の流れである。
【０１４０】
次に、図１１のフローチャートを用いて、図４のステップＳ２０６の処理の詳細について説明する。
【０１４１】
まず、機器の使用時間（機器使用累積時間）が２週間未満か否かを判定する（Ｓ５０１）。
【０１４２】
そして、機器の使用時間が２週間未満であると判定した場合には、さらに、生年月日又は性別の設定変更を反映した前回のタイミングからの経過時間が、３ヶ月未満か否かを判定する（Ｓ５０２）。
【０１４３】
経過時間が３ヶ月未満であると判定した場合には、設定変更を行うタイミングを保留とし（Ｓ５０３）、設定変更タスクを登録して（Ｓ５０４）、設定変更保留の画面表示を行って（Ｓ５０５）、処理を終了する。
【０１４４】
すなわち、図１２に示すように、属性がユーザーの生年月日又は性別である場合には、処理部１３０は、使用時間が所与の使用時間未満であり、経過時間も所与の経過時間未満である場合において、変更要求に対応する第１のタイミングより後の第２のタイミングで変更の反映処理を行う。
【０１４５】
これにより、機器の使用開始初期であって、前回、生年月日又は性別の設定変更を反映したタイミングから、所与の時間経過していない場合に、生年月日又は性別を変更する設定変更を保留し、例えばユーザーに確認をしてから活動状態情報の演算処理に反映させること等が可能になる。
【０１４６】
一方、ステップＳ５０２において、経過時間が３ヶ月以上であると判定した場合には、エラーと判断して処理を終了する。
【０１４７】
また、機器の使用時間が２週間以上であると判定した場合には、さらに、生年月日又は性別の設定変更を反映した前回のタイミングからの経過時間が、３ヶ月未満か否かを判定する（Ｓ５０６）。
【０１４８】
経過時間が３ヶ月未満であると判定した場合には、設定変更を却下し（Ｓ５０７）、設定変更無効の画面表示を行って（Ｓ５０８）、処理を終了する。
【０１４９】
すなわち、図１２に示すように、属性がユーザーの生年月日又は性別である場合には、処理部１３０は、使用時間が所与の使用時間以上であり、経過時間が所与の経過時間未満である場合において、変更の反映処理を行わないと決定する。
【０１５０】
これにより、機器の使用開始初期ではない場合に、前回、生年月日又は性別の設定変更を反映したタイミングから、所与の時間経過していない場合には、生年月日又は性別を変更する設定変更を却下すること等が可能になる。
【０１５１】
一方、経過時間が３ヶ月以上であると判定した場合には、設定変更を行うタイミングを保留とし（Ｓ５０９）、設定変更タスクを登録して（Ｓ５０４）、設定変更保留の画面表示を行って（Ｓ５０５）、処理を終了する。
【０１５２】
すなわち、図１２に示すように、属性がユーザーの生年月日又は性別である場合には、処理部１３０は、使用時間が所与の使用時間以上であり、経過時間も所与の経過時間以上である場合において、変更要求に対応する第１のタイミングより後の第２のタイミングで変更の反映処理を行う。
【０１５３】
これにより、機器の使用開始初期ではない場合に、前回、生年月日又は性別の設定変更を反映したタイミングから、所与の時間経過している場合に、生年月日又は性別を変更する設定変更を保留し、例えばユーザーに確認をしてから活動状態情報の演算処理に反映させること等が可能になる。
【０１５４】
４．測定装置の構成例
図１３（Ａ）、図１３（Ｂ）、図１４に本実施形態の測定装置４００（生体情報検出装置）の外観図を示す。図１３（Ａ）は測定装置４００を正面方向側から見た図であり、図１３（Ｂ）は上方向側から見た図であり、図１４は側面方向側から見た図である。
【０１５５】
図１３（Ａ）〜図１４に示すように本実施形態の測定装置４００は、バンド部５１０とケース部５３０とセンサー部（測定部）１５０を有する。ケース部５３０は、バンド部５１０に取り付けられる。センサー部１５０は、ケース部５３０に設けられる。なお、本実施形態の測定装置４００は図１３（Ａ）〜図１４等の構成に限定されず、その構成要素の一部を省略したり、他の構成要素に置き換えたり、他の構成要素を追加するなどの種々の変形実施が可能である。
【０１５６】
バンド部５１０は、ユーザーの手首に巻き付けて測定装置４００を装着するためのものである。バンド部５１０は、穴部５１２、バックル部５１４を有する。バックル部５１４はバンド挿入部５１５と突起部５１６を有する。ユーザーは、バンド部５１０の一端側を、バックル部５１４のバンド挿入部５１５に挿入し、バンド部５１０の穴部５１２にバックル部５１４の突起部５１６を挿入することで、測定装置４００を手首に装着することができる。この場合、どの穴部５１２に突起部５１６を挿入するかに応じて、センサー部１５０への押圧（手首表面に対する押圧）の大きさが調整される。
【０１５７】
ケース部５３０は、測定装置４００の本体部に相当するものである。ケース部５３０の内部には、センサー部１５０、第１の情報取得部１１０、第２の情報取得部１２０、処理部１３０等の測定装置４００の種々の構成部品が設けられる。即ち、ケース部５３０は、これらの構成部品を収納する筐体である。
【０１５８】
ケース部５３０には発光窓部５３２が設けられている。発光窓部５３２は透光部材により形成されている。そしてケース部５３０には、フレキシブル基板に実装された発光部（ＬＥＤ）が設けられており、この発光部からの光が、発光窓部５３２を介してケース部５３０の外部に照射される。
【０１５９】
図１４に示すようにケース部５３０には端子部５３１が設けられている。測定装置４００を図示しないクレードルに装着すると、クレードルの端子部とケース部５３０の端子部５３１が電気的に接続される。これにより、ケース部５３０に設けられる二次電池（バッテリー）の充電が可能になる。
【０１６０】
センサー部１５０は被検体の脈波等の測定生体情報を検出するものである。例えばセンサー部１５０は、受光部と発光部を有する。またセンサー部１５０は、透光部材により形成され、被検体の皮膚表面に接触して押圧を与える凸部５５２を有する。このように凸部５５２が皮膚表面に押圧を与えた状態で、発光部が光を出射し、その光が被検体（血管）により反射された光を受光部が受光し、その受光結果が検出信号として第１の情報取得部１１０に出力される。なお、本実施形態の測定装置４００の検出対象となる測定生体情報は、脈波（脈拍数）には限定されず、測定装置４００は、脈波以外の測定生体情報（例えば血液中の酸素飽和度、体温、心拍等）を検出する装置であってもよい。
【０１６１】
図１５は測定装置４００の装着及び情報処理装置２００との通信についての説明図である。
【０１６２】
図１５に示すように被検体であるユーザーは手首４１０に測定装置４００を時計のように装着する。図１４に示すように、ケース部５３０の被検体側の面にはセンサー部１５０が設けられている。従って、測定装置４００が装着されると、センサー部１５０の凸部５５２が手首４１０の皮膚表面に接触して押圧を与え、その状態でセンサー部１５０の発光部が光を発光し、受光部が反射光を受光することで脈波等の測定生体情報が検出される。
【０１６３】
測定装置４００と情報処理装置２００は通信接続されて、データのやり取りが可能になっている。情報処理装置２００は、例えばスマートフォン、携帯電話機、フューチャーフォン等の携帯端末装置である。或いは情報処理装置２００は、タブレット型コンピューター等の情報処理端末であってもよい。測定装置４００と情報処理装置２００の通信接続としては、例えばブルートゥース等の近接無線通信を採用できる。このように測定装置４００と携帯端末装置２００が通信接続されることで、携帯端末装置２００の表示部４３０（ＬＣＤ等）に、脈拍数や消費カロリーなどの各種情報（測定生体情報、活動状態情報）を表示できる。即ち、センサー部１５０の検出信号に基づき求められた各種の情報を表示できる。なお、脈拍数や消費カロリーなどの情報の演算処理は、測定装置４００において実行してもよいし、その少なくとも一部を携帯端末装置２００において実行してもよい。
【０１６４】
なお、本実施形態の活動状態情報演算システム等は、その処理の一部または大部分をプログラムにより実現してもよい。この場合には、ＣＰＵ等のプロセッサーがプログラムを実行することで、本実施形態の活動状態情報演算システム等が実現される。具体的には、非一時的な情報記憶装置に記憶されたプログラムが読み出され、読み出されたプログラムをＣＰＵ等のプロセッサーが実行する。ここで、情報記憶装置（コンピューターにより読み取り可能な装置）は、プログラムやデータなどを格納するものであり、その機能は、光ディスク（ＤＶＤ、ＣＤ等）、ＨＤＤ（ハードディスクドライブ）、或いはメモリー（カード型メモリー、ＲＯＭ等）などにより実現できる。そして、ＣＰＵ等のプロセッサーは、情報記憶装置に格納されるプログラム（データ）に基づいて本実施形態の種々の処理を行う。即ち、情報記憶装置には、本実施形態の各部としてコンピューター（操作部、処理部、記憶部、出力部を備える装置）を機能させるためのプログラム（各部の処理をコンピューターに実行させるためのプログラム）が記憶される。
【０１６５】
また、本実施形態の活動状態情報演算システム等は、プロセッサーとメモリーを含んでも良い。ここでのプロセッサーは、例えばＣＰＵ（Central Processing Unit）であってもよい。ただし、プロセッサーはＣＰＵに限定されるものではなく、ＧＰＵ（Graphics Processing Unit）、或いはＤＳＰ（Digital Signal Processor）等、各種プロセッサーを用いることが可能である。また、プロセッサーはＡＳＩＣ（Application Specific Integrated Circuit）によるハードウェア回路でもよい。また、メモリーはコンピューターにより読み取り可能な命令を格納するものであり、当該命令がプロセッサーにより実行されることで、本実施形態に係る活動状態情報演算システム等の各部が実現されることになる。ここでのメモリーは、ＳＲＡＭ（Static Random Access Memory）、ＤＲＡＭ（Dynamic Random Access Memory）などの半導体メモリーであってもよいし、レジスターやハードディスク等でもよい。また、ここでの命令は、プログラムを構成する命令セットの命令でもよいし、プロセッサーのハードウェア回路に対して操作を指示する命令であってもよい。
【０１６６】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、活動状態情報演算システムの構成、動作も本実施形態で説明したものに限定されず、種々の変形実施が可能である。
【符号の説明】
【０１６７】
１００  活動状態情報演算システム、１１０  第１の情報取得部、
１２０  第２の情報取得部、１３０  処理部、１５０  測定部（センサー部）、
２００  スマートデバイス（情報処理装置、携帯端末装置）、３００  受付部、
４００  測定装置、４１０  手首、４３０  表示部、５１０  バンド部、
５１２  穴部、５１４  バックル部、５１５  バンド挿入部、５１６  突起部、
５３０  ケース部、５３１  端子部、５３２  発光窓部、５５２  凸部、
６００  サーバー
【図１】
0006467819.tif 000003
【図２】
0006467819.tif 000004
【図３】
0006467819.tif 000005
【図４】
0006467819.tif 000006
【図５】
0006467819.tif 000007
【図６】
0006467819.tif 000008
【図７】
0006467819.tif 000009
【図８】
0006467819.tif 000010
【図９】
0006467819.tif 000011
【図１０】
0006467819.tif 000012
【図１１】
0006467819.tif 000013
【図１２】
0006467819.tif 000014
【図１３】
0006467819.tif 000015
【図１４】
0006467819.tif 000016
【図１５】
0006467819.tif 000017